(57)【要約】【課題】側溝用ブロックに上蓋用ブロックを閉蓋した場合に車両の走行振動等により上蓋用ブロックがずれたり外れたりする。これを放置すると歩行者に思わぬ危険がある。そのために両ブロックをボルトや固定具等を介して締付け固定することが行われている。【解決手段】側溝用ブロックと上蓋用ブロックの金具による閉蓋固定構造において、側溝用金具は、雌ネジ筒体の少なくとも断面中央線よりも略上方部分を筒体長手方向に沿って切欠し、この長手切欠部分を連結ボルト摺動用溝部とすると共に、雌ネジ筒体中には雌ネジと螺合しないで当接しながらスライド可能な略半円弧状の雄ネジ摺動体を位置調整自在に収納し、雄ネジ摺動体の上面には連結ボルトを立設すると共に、上蓋用金具は、平板状の圧接体に連結ボルト挿通孔を設けてなることとした。【選択図】図１０
2019218702.tif 000002
【特許請求の範囲】
【請求項１】
側溝ブロックの天端に蓋連結用の側溝用金具を埋設しその上面はブロック表面と面一で露出状態とし、
上蓋ブロックの側縁底面に平板状の圧接体からなる上蓋用金具を埋設しその表面はブロック表面と面一で露出状態とし、
側溝ブロックに上蓋ブロックを閉蓋した状態で側溝用金具の露出面と上蓋用金具の露出面とを上下当接接合状態になるように構成し、
しかも、側溝用金具は、雌ネジ筒体の少なくとも断面中央線よりも略上方部分を筒体長手方向に沿って切欠し、この長手切欠部分を連結ボルト摺動用溝部とすると共に、
雌ネジ筒体中には雌ネジと螺合しないで当接しながらスライド可能な略半円弧状の雄ネジ摺動体を位置調整自在に収納し、雄ネジ摺動体の上面には連結ボルトを立設すると共に、
上蓋用金具は、平板状の圧接体に連結ボルト挿通孔を設け、
側溝ブロックに上蓋ブロックを閉蓋した際に連結ボルト挿通孔から圧接体上方に突出した連結ボルトに締付けナットを螺着することにより側溝用金具に上蓋用金具を接合締付け状態としたことを特徴とする側溝用ブロックと上蓋用ブロックの金具による閉蓋固定構造。
【請求項２】
側溝用金具には側溝用アンカーを垂設し、上蓋用金具には蓋用アンカーを立設したことを特徴とする請求項１に記載の側溝用ブロックと上蓋用ブロックの金具による閉蓋固定構造。
【請求項３】
連結ボルト挿通孔から圧接体上方に突出した連結ボルト及び連結ボルトに螺合締付けする締付けナットはいずれも上蓋ブロックに設けた上面通水孔から締め付け解除操作が可能となるような上面通水孔と相対する位置に配設したことを特徴とする請求項１又は請求項２に記載の側溝用ブロックと上蓋用ブロックの金具による閉蓋固定構造。
【発明の詳細な説明】
【技術分野】
【０００１】
この発明は、側溝用ブロックに上蓋用ブロックを固定したり取外したりするために両ブロックに適合する所定構造の金具を介して取外し固定作業が行えるように構成した側溝用ブロックと上蓋用ブロックの金具による閉蓋固定構造に関する。
【背景技術】
【０００２】
従来、側溝用ブロックに上蓋用ブロックを閉蓋した場合に車両の走行振動等により上蓋用ブロックがずれたり外れたりする。これを放置すると歩行者に思わぬ危険がある。
【０００３】
そのために両ブロックをボルトや固定具等を介して締付け固定することが行われている（例えば、特許文献１及び特許文献２参照。）。
【先行技術文献】
【特許文献】
【０００４】
【特許文献１】実全昭６２−０８９３８７号公報
【特許文献２】特開２０００−２９１１１８号公報
【発明の概要】
【発明が解決しようとする課題】
【０００５】
しかし、仮にボルトにより両ブロックを締付け固定してもボルトでの連結位置が一か所だけではなく複数個所必要な場合があったり、固定位置を上蓋ブロックの設置状況に応じて変更したりする必要が生じる。
【０００６】
かかる場合に予め固定具の位置が固定されていると状況に対応した固定位置変更が不可能であり、側溝用ブロックに上蓋用ブロックを完全に閉蓋固定する作業が行えず路上事故発生の原因となっていた。
【０００７】
本発明は、かかる事情に鑑みてなされたものであって、側溝用ブロックに上蓋用ブロックを固定したり取外したりするために両ブロックに適合する所定構造の金具を介して取外し固定作業が行えるように構成した側溝用ブロックと上蓋用ブロックの金具による閉蓋固定構造を提供するものである。
【課題を解決するための手段】
【０００８】
上記従来の課題を解決するために、本発明では、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は、雌ネジ筒体の少なくとも断面中央線よりも略上方部分を筒体長手方向に沿って切削し、この長手切削部分を連結ボルト摺動用溝部とすると共に、雌ネジ筒体中には雌ネジと螺合しないで当接しながらスライド可能な略半円弧状の雄ネジ摺動体を位置調整自在に収納し、雄ネジ摺動体の上面には連結ボルトを立設すると共に、上蓋用金具は、平板状の圧接体に連結ボルト挿通孔を設け、側溝ブロックに上蓋ブロックを閉蓋した際に連結ボルト挿通孔から圧接体上方に突出した連結ボルトに締付けナットを螺着することにより側溝用金具に上蓋用金具を接合締付け状態としたことを特徴とする側溝用ブロックと上蓋用ブロックの金具による閉蓋固定構造を提供する。
【０００９】
また、本発明にかかる閉蓋固定構造では、側溝用金具には側溝用アンカーを垂設し、上蓋用金具には蓋用アンカーを立設したことを特徴とする。
【００１０】
また、本発明にかかる閉蓋固定構造では、連結ボルト挿通孔から圧接体上方に突出した連結ボルト及び連結ボルトに螺合締付けする締付けナットはいずれも上蓋ブロックに設けた上面通水孔から締め付け解除操作が可能となるような上面通水孔と相対する位置に配設したことを特徴とする。
【発明の効果】
【００１１】
請求項１に係る発明によれば、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、側溝用金具は、雌ネジ筒体の少なくとも断面中央線よりも略上方部分を筒体長手方向に沿って切削し、この長手切削部分を連結ボルト摺動用溝部とし、雌ネジ筒体中には雌ネジと螺合しないで当接しながらスライド可能な略半円弧状の雄ネジ摺動体を位置調整自在に収納し、雄ネジ摺動体の上面には連結ボルトを立設したことにより、上蓋用金具の平板状の圧接体に設けた連結ボルト挿通孔から上方に突出した連結ボルトの位置を変更したい時、すなわち、連結ボルトによる側溝ブロックと上蓋ブロックとの接合固定位置を変更したい時には連結ボルトを立設した略半円弧状の雄ネジ摺動体を雌ネジ筒体の連結ボルト摺動用溝部に沿ってスライドしながら位置変更することができる。
【００１２】
しかも、上蓋ブロックの上蓋用金具の圧接体を連結ボルトと締付けナットを介して側溝用金具に圧接すればするほど略半円弧状の雄ネジ摺動体は雌ネジ筒体の連結ボルト摺動用溝部内で互いのネジ溝を介して緊締な密着状態を生起し不用意に連結ボルト摺動用溝部内で位置ずれする虞を防止することができる。
【００１３】
しかも、連結ボルトの位置変更操作に際しては連結ボルトと締付けナットの弛緩により連結ボルト摺動用溝部内で略半円弧状の雄ネジ摺動体を容易にスライドすることができ両ブロックの連結ボルトの位置変更が可能となる効果がある。
【００１４】
また、請求項２に係る発明によれば、側溝用金具には側溝用アンカーを垂設し、上蓋用金具には蓋用アンカーを立設したことにより、各金具を各ブロック内に確実に埋設固定することができる効果がある。
【００１５】
また、請求項３に係る発明によれば、連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことにより、連結ボルト挿通孔から圧接体上方に突出した連結ボルトに締付けナットを螺合締付けする操作を上蓋ブロックに設けた上面通水孔から挿入したレンチ等の治具を介して行うことができるので両ブロックの固定作業が容易確実に行うことができる効果がある。
【図面の簡単な説明】
【００１６】
【図１】本発明の閉蓋固定構造を備えた側溝用ブロックと上蓋用ブロックの構成を示す全体斜視図である。
【図２】本発明に係る側溝用金具を備える側溝用ブロックの構成を示す斜視図である。
【図３】本発明に係る側溝用金具を備える側溝用ブロックの構成を示す平面図である。
【図４】本発明に係る側溝用金具の構成を示す斜視図である。
【図５】本発明に係る側溝用金具の構成を示すＡ−Ａ断面図である。
【図６】本発明に係る上蓋用金具を備える上蓋用ブロックの構成を示す斜視図である。
【図７】本発明に係る上蓋用金具を備える上蓋用ブロックの構成を示す拡大平面図である。
【図８】本発明に係る上蓋用金具を備える上蓋用ブロックの構成を示す拡大底面図である。
【図９】本発明に係る上蓋用金具の構成を示す斜視図である。
【図１０】本発明に係る側溝用金具と上蓋用金具との上下当接接合状態を示す模式的断面図である。
【発明を実施するための形態】
【００１７】
この発明の要旨は、側溝ブロックの天端に蓋連結用の側溝用金具を埋設しその上面はブロック表面と面一で露出状態とし、上蓋ブロックの側縁底面に平板状の圧接体からなる上蓋用金具を埋設しその表面はブロック表面と面一で露出状態とし、側溝ブロックに上蓋ブロックを閉蓋した状態で側溝用金具の露出面と上蓋用金具の露出面とを上下当接接合状態になるように構成し、しかも、側溝用金具は、雌ネジ筒体の少なくとも断面中央線よりも略上方部分を筒体長手方向に沿って切欠し、この長手切欠部分を連結ボルト摺動用溝部とすると共に、雌ネジ筒体中には雌ネジと螺合しないで当接しながらスライド可能な略半円弧状の雄ネジ摺動体を位置調整自在に収納し、雄ネジ摺動体の上面には連結ボルトを立設すると共に、上蓋用金具は、平板状の圧接体に連結ボルト挿通孔を設け、側溝ブロックに上蓋ブロックを閉蓋した際に連結ボルト挿通孔から圧接体上方に突出した連結ボルトに締付けナットを螺着することにより側溝用金具に上蓋用金具を接合締付け状態としたことを特徴とする側溝用ブロックと上蓋用ブロックの金具による閉蓋固定構造としたことにあり、また、側溝用金具には側溝用アンカーを垂設し、上蓋用金具には蓋用アンカーを立設し、また、連結ボルト挿通孔から圧接体上方に突出した連結ボルト及び連結ボルトに螺合締付けする締付けナットはいづれも上蓋ブロックに設けた上面通水孔から締め付け解除操作が可能となるような上面通水孔と相対する位置に配設したことにある。
【００１８】
この発明の実施例を図面に基づき詳説する。図１は本発明の閉蓋固定構造を備えた側溝用ブロックと上蓋用ブロックの構成を示す全体斜視図、図２及び図３は側溝用ブロックの構成を示す斜視図及び平面図、図４及び図５は側溝用金具の構成を示す斜視図及びＡ−Ａ断面図、図６は上蓋用ブロックの構成を示す斜視図、図７及び図８は上蓋用ブロックの構成を示す拡大平面図及び拡大底面図、図９は上蓋用金具の構成を示す斜視図、図１０は側溝用金具と上蓋用金具との上下当接接合状態を示す模式的断面図である。
【００１９】
側溝用金具１０は、側溝ブロック１の金型成型時にブロック用金型にコンクリートを流入する時一体に埋設する。その際に側溝用金具上面１０ａは、図２及び図３に示すように側溝ブロック表面１ａと面一で露出するように埋設する。
【００２０】
側溝用金具１０は、図４に示すように雌ネジ筒体１１の少なくとも断面中央線Ｃよりも略上方部分を筒体長手方向に沿って切削し、この長手切削部分を連結ボルト摺動用溝部１２とすると共に、雌ネジ筒体１１中には略半円弧状の雄ネジ摺動体３０を位置調整自在に収納している。
【００２１】
しかも、雄ネジ摺動体３０は、図４（ａ）及び図５に示すように雄ネジ本体を略半円弧状に切削した形状であるためにその半円弧周面にも雄ネジ溝１３ａが形成されている。
【００２２】
従って、雌ネジ筒体１１中には略半円弧状の雄ネジ摺動体３０を位置調整自在に収納すると雌ネジ筒体１１中の雌ネジ溝１１ａと雄ネジ摺動体３０外周面の雄ネジ溝３０ａとが、図４（ａ）及び図４（ｂ）に示すように後述する連結ボルト３１と締付けナット３２との螺合締付け操作によって互いのネジ溝１１ａ、３０ａが不規則に噛み合い強固な一体固定状態を現出する。
【００２３】
一方で、連結ボルト３１と締付けナット３２との螺合締付けが弛緩した状態では雌ネジ筒体１１中で雄ネジ摺動体３０が容易にスライド可能となる。
【００２４】
雌ネジ筒体１１の前後端には前後開口部を閉塞して雄ネジ摺動体３０を規制する規制板体１６、１６’を設けている。なお、図４（ａ）中、符号１６ａ及び符号１１ｂは規制板体１６を雌ネジ筒体１１に固定するためのネジ孔である。
【００２５】
本発明は、かかる状態の雌ネジ筒体１１と略半円弧状の雄ネジ摺動体３０の収納関係状態を要旨とするものであり、互いにスライド可能に位置調整出来るが連結ボルト３１と締付けナット３２との螺合締付けにより雌ネジ筒体１１と略半円弧状の雄ネジ摺動体３０とを密着係合して強固な一体密着構造とすることができる。
【００２６】
また、上蓋ブロック２の側縁底面２ａには、図９に示すように平板状の圧接体２１からなる上蓋用金具２０が埋設されており、図６乃至図８に示すようにその表面２０ａはブロック表面（側縁底面２ａ）と面一で露出状態としている。
【００２７】
側溝ブロック１に上蓋ブロック２を閉蓋した状態では、図１０に示すように側溝用金具１０の露出面（側溝用金具上面１０ａ）と上蓋用金具２０の露出面（上蓋用金具表面２０ａ）とは上下当接接合状態となるように構成している。
【００２８】
また、上蓋用金具２０は、図９及び図１０に示すように平板状の圧接体２１に連結ボルト挿通孔２２を設けて構成しており、側溝ブロック１に上蓋ブロック２を閉蓋した際に連結ボルト３１を連結ボルト挿通孔２２からを圧接体２１上方に突出させている。
【００２９】
そして、この突出した連結ボルト３１に締付けナット３２を螺着することにより側溝用金具１０に上蓋用金具２０を接合締付け状態とすることができる。
【００３０】
また、側溝用金具１０には、図３に示すように側溝用アンカー１７を垂設し、上蓋用金具２０には、図９に示すように蓋用アンカー２３を立設している。
【００３１】
各アンカ―１７、２３は、略Ｌ型に形成しており、図１乃至図３、図６乃至図８に示すように各金具１０、２０と共にブロック１、２に埋設することにより各金具１０、２０のブロック１、２内での固定を確実にしている。
【００３２】
また、連結ボルト挿通孔２２から圧接体２１上方に突出した連結ボルト３１及び連結ボルト３１に螺合締付けする締付けナット３２は、図１及び図７に示すように、いづれも上蓋ブロック２に設けた上面通水孔２ｂから締め付け解除操作が可能となるような上面通水孔２ｂと相対する位置に配設している。
【００３３】
かかる構成によりレンチ等の治具を使用して上蓋ブロック２の上方から締付けナット３２の締め付け弛緩を容易に行うことができる。
【符号の説明】
【００３４】
１  側溝ブロック
１ａ  側溝ブロック表面
２  上蓋ブロック
２ａ  側縁底面
２ｂ  上面通水孔
１０  側溝用金具
１１  雌ネジ筒体
１２  連結ボルト摺動用溝部
１７  側溝用アンカー
２０  上蓋用金具
２１  圧接体
２２  連結ボルト挿通孔
２３  蓋用アンカー
３０  雄ネジ摺動体
３１  連結ボルト
３２  締付けナット
【図１】
2019218702.tif 000003
【図２】
2019218702.tif 000004
【図３】
2019218702.tif 000005
【図４】
2019218702.tif 000006
【図５】
2019218702.tif 000007
【図６】
2019218702.tif 000008
【図７】
2019218702.tif 000009
【図８】
2019218702.tif 000010
【図９】
2019218702.tif 000011
【図１０】
2019218702.tif 000012